(57)【要約】【課題】メンテナンスにおける作業性を向上しうる照明装置を提供する。【解決手段】照明装置１は、円筒状の側壁１１２を有し側壁１１２に側壁１１２の周方向に沿って雌螺子部１１２ａが形成された筐体１１と、筐体１１の内側に配置された光源ユニット１２と、円筒状の枠部２１１を有し枠部２１１の周方向に沿って形成された雄螺子部２１１ａを雌螺子部１１２ａに螺合させることにより筐体１１に取り付けられるカバー２０と、細長であり長手方向の一端部が筐体１１に固定された連結部材１７と、を備える。カバー２０は、連結部材１７の留め具部１７３に保持される位置が枠部２１１の周方向に沿って移動自在である被保持部を構成する内鍔部２１２および押圧部材２４を有する。押圧部材２４は、カバー２０が連結部材１７の留め具部１７３から離脱するのを防止する。【選択図】図２
2018022625.tif 000002
【特許請求の範囲】
【請求項１】
円筒状の側壁を有し前記側壁に前記側壁の周方向に沿って第１螺子部が形成された筐体と、
前記筐体の内側に配置された光源と、
少なくとも一部に円筒状の枠部を有し前記枠部の周方向に沿って形成された第２螺子部を前記第１螺子部に螺合させることにより前記筐体に取り付けられるカバーと、
細長であり長手方向の一端部が前記筐体に固定された連結部材と、を備え、
前記カバーは、前記連結部材の他端部に保持される位置が前記枠部の周方向に沿って移動自在である被保持部を有し、
前記被保持部は、前記カバーが前記連結部材の他端部から離脱するのを防止する離脱防止部を有する、
照明装置。
【請求項２】
前記連結部材は、前記筐体に固定される固定部と、一端部が前記固定部に接続されたワイヤ部と、前記ワイヤ部の他端部に設けられた留め具部と、を有し、
前記被保持部は、前記枠部の筒軸方向における前記筐体側とは反対側の端部から内側に突出する円環状であり前記筐体側に前記枠部の前記端部に沿って形成され内部を前記留め具部が移動可能となっている円環状の軌道部が形成された内鍔部から構成され、
前記離脱防止部は、前記留め具部が前記軌道部内を移動可能な状態で前記留め具部が前記軌道部から離脱するのを防止する、
請求項１に記載の照明装置。
【請求項３】
前記軌道部は、円環状の溝から構成されている、
請求項２に記載の照明装置。
【請求項４】
前記離脱防止部は、円環状であり、前記ワイヤ部の断面の直径よりも大きく且つ前記留め具部の外形寸法よりも小さい隙間が前記軌道部の全周に亘って形成されるように、前記軌道部の一部を覆う、
請求項３に記載の照明装置。
【請求項５】
端子台と、
前記端子台を前記筐体に固定するための固定部材と、を更に備え、
前記筐体は、有底円筒状であり、
前記固定部材は、前記筐体の底壁に固定される固定片と、前記固定片の端縁から前記固定片に交差する方向へ延出し一面に前記端子台が固定される延出片と、を有し、
前記連結部材の一端部は、前記延出片の端部に固定されている、
請求項１から４のいずれか１項に記載の照明装置。
【発明の詳細な説明】
【技術分野】
【０００１】
本発明は、照明装置に関する。
【背景技術】
【０００２】
光源と、光源が内蔵される器具本体と、器具本体に取り付けられるカバーと、を備える照明器具が提案されている（例えば特許文献１参照）。この照明器具では、器具本体が円環状の壁を有する。一方、カバーが器具本体に取り付けられた状態において器具本体の壁の外壁に対向する対向部を有している。そして、器具本体の壁の一部に雌螺子が形成されカバーの対向部に雌螺子に螺合する雄螺子が形成されている。カバーは、その雄螺子を器具本体の雌螺子に螺着させることにより、器具本体に取り付けることができる。この種の照明装置が天井や壁に固定された後の照明装置のメンテナンスでは、カバーを器具本体に対して回転させてカバーを器具本体から外して内部部品の交換を行う。
【先行技術文献】
【特許文献】
【０００３】
【特許文献１】特開２０１１−１０８５８７号公報
【発明の概要】
【発明が解決しようとする課題】
【０００４】
この種の照明装置では、メンテナンスを行う際の作業性を考慮して、器具本体から取り外したカバーを何らかの方法で器具本体に連結しておくことが要求されている。カバーを器具本体に連結する方法の一つとして、ワイヤの一端部を器具本体に固定し他端部をカバーに固定する方法がある。
【０００５】
しかしながら、この種の照明装置においてこの方法を採用する場合、カバーを器具本体に取り付ける際、ワイヤが器具本体の一部とカバーの一部とに固定されているためワイヤをカバーの回転方向に巻き回すことになる。従って、カバーを数回回転させることを考慮してワイヤの長さを決める必要がある。そうすると、ワイヤの長さが極端に長くなってしまい、ワイヤが絡まったりすることにより、返ってメンテナンスの作業性が低下してしまう虞がある。
【０００６】
本発明は上記事由に鑑みてなされたものであり、メンテナンスにおける作業性を向上しうる照明装置を提供することを目的とする。
【課題を解決するための手段】
【０００７】
上記目的を達成するために、本発明に係る照明装置は、
円筒状の側壁を有し前記側壁に前記側壁の周方向に沿って第１螺子部が形成された筐体と、
前記筐体の内側に配置された光源と、
少なくとも一部に円筒状の枠部を有し前記枠部の周方向に沿って形成された第２螺子部を前記第１螺子部に螺合させることにより前記筐体に取り付けられるカバーと、
細長であり長手方向の一端部が前記筐体に固定された連結部材と、を備え、
前記カバーは、前記連結部材の他端部に保持される位置が前記枠部の周方向に沿って移動自在である被保持部を有し、
前記被保持部は、前記カバーが前記連結部材の他端部から離脱するのを防止する離脱防止部を有する。
【発明の効果】
【０００８】
本発明によれば、カバーが、連結部材の他端部に保持される位置が枠部の周方向に沿って移動自在である被保持部を有する。これにより、カバーの枠部を筐体に対して筐体の側壁の筒軸周りに回転させることにより、第２螺子部を第１螺子部に螺合させてカバーを筐体に取り付ける際、連結部材の他端部が枠部の周方向に沿って移動する。即ち、カバーの枠部を筐体に対して回転させた場合に、連結部材の他端部はカバーの枠部に追従しない。従って、カバーを筐体に対して数回回転させることを考慮することなく、連結部材の長さを決めることができるので、連結部材の長さを必要最小限にすることができ、連結部材が絡まることを抑制できる。また、被保持部は、カバーが連結部材の他端部から離脱するのを防止する離脱防止部を有する。これにより、カバーを連結部材により筐体に吊り下げた状態でカバーに外力が加わってもカバーが筐体から離脱しないので、例えば照明装置のメンテナンスを行う作業者は、メンテナンス中のカバーへの接触を気にせずに作業を行うことができる。このように、本発明によれば、連結部材の絡まりが抑制され且つカバーの筐体からの離脱が防止されている分、メンテナンスにおける作業性を向上させることができる。
【図面の簡単な説明】
【０００９】
【図１】本発明の実施の形態に係る照明装置の分解斜視図である。
【図２】実施の形態に係る照明装置の断面図である。
【図３】（Ａ）は実施の形態に係る照明装置の斜視図であり、（Ｂ）は実施の形態に係る照明装置の下面図である。
【図４】実施の形態に係る照明装置の断面図である。
【図５】比較例１に係る照明装置を示し、（Ａ）は筐体にグローブが取り付けられた状態を示す断面図であり、（Ｂ）は筐体からグローブが取り外された状態を示す断面図である。
【図６】実施の形態に係る固定部材および連結部材を示す側面図である。
【図７】変形例に係る照明装置の断面図である。
【図８】（Ａ）変形例に係るカバーの一部を示す断面図であり、（Ｂ）は他の変形例に係るカバーの一部を示す断面図である。
【発明を実施するための形態】
【００１０】
以下、本発明の実施の形態に係る照明装置について図面を参照しながら説明する。本実施の形態に係る照明装置は、建物の天井や壁等に取り付けられて使用され、メンテナンスの際、カバーが筐体に吊り下げられた状態にすることができるものである。
【００１１】
図１および図２に示すように、照明装置１は、有底円筒状の筐体１１と、光源ユニット１２と、電池１４と、点灯回路ユニット１３と、端子台１５と、固定部材１６と、カバー２０と、連結部材１７と、を備える。
【００１２】
筐体１１は、円筒状の側壁１１２と、側壁１１２の筒軸方向における一端側を閉塞する底壁１１１と、を有する。筐体１１は、例えばアルミニウムのような金属から形成されている。底壁１１１には、筐体１１を天井や壁等の造営材に取り付けるための取付孔１１１ａが形成されている。側壁１１２の筒軸方向における他端部の内周面には、側壁１１２の周方向に沿って雌螺子部（第１螺子部）１１２ａが形成されている。筐体１１は、図２に示すように、パッキン１８を介して造営材Ｃ１に取り付けられる。
【００１３】
光源ユニット１２は、筐体１１の底壁１１１の中央部に配置されている。光源ユニット１２は、図２に示すように、ＬＥＤ（Light Emitting Diode）の発光素子を有する発光部１２１を有する。
【００１４】
電池１４は、点灯回路ユニット１３とワイヤハーネス（図示せず）を介して電気的に接続され、点灯回路ユニット１３へ直流を供給する。電池１４は、例えば二次電池から構成されている。電池１４は、筐体１１の底壁１１１に固定された電池支持部材１９により支持されている。
【００１５】
点灯回路ユニット１３は、通常時において、ＡＣ・ＤＣコンバータにより、外部の交流電源から供給される交流を直流に変換して発光部１２１へ供給する。一方、点灯回路ユニット１３は、非常時において、電池１４から供給される直流を発光部１２１へ供給する。
【００１６】
端子台１５は、点灯回路ユニット１３にワイヤハーネス（図示せず）を介して電気的に接続されている。端子台１５は、固定部材１６により筐体１１の底壁１１１に固定されている。
【００１７】
固定部材１６は、筐体１１の底壁１１１に固定される固定片１６１と、固定片１６１の端縁から固定片１６１に交差する方向へ延出する延出片１６２と、から構成される。端子台１５は、延出片１６２の一面に固定されている。
【００１８】
カバー２０は、枠部２１１と、内鍔部２１２と、透光部材２２と、パッキン２３と、押圧部材（離脱防止部材）２４と、を有する。枠部２１１は、円筒状に形成されている。枠部２１１の筒軸方向における一端部の外周面には、枠部２１１の周方向に沿って雄螺子部（第２螺子部）２１１ａが形成されている。そして、この雄螺子部２１１ａを筐体１１の雌螺子部１１２ａに螺合させることにより、カバー２０が筐体１１に取り付けられる。
【００１９】
内鍔部２１２は、平面視円環状であり、枠部２１１の筒軸方向における筐体１１側とは反対側の他端部から内側に突出している。内鍔部２１２の筐体１１側には、枠部２１１の他端部に沿って形成された幅Ｗ０の円環状の溝（軌道部）２１２ａが形成されている。溝２１２ａは、断面矩形状の溝の底部を外側に凸となる形で湾曲させた形状を有する。
【００２０】
透光部材２２は、ドーム状に形成された透光部材本体２２１と、透光部材本体２２１の周縁から外側に張り出した外鍔部２２２と、から構成される。透光部材２２は、透光性材料から形成されている。この透光性材料としては、例えば透明なガラスやポリカーボネート等の合成樹脂が挙げられる。
【００２１】
パッキン２３は、円環状であり、内側に向かって開放された断面コ字状である。パッキン２３はゴムのような弾性材料から形成されている。このパッキン２３は、透光部材２２の外鍔部２２２の周縁部に嵌め込まれている。
【００２２】
連結部材１７は、略紐状であり長手方向の一端部が固定部材１６を介して筐体１１の底壁１１１に固定されている。連結部材１７は、筐体１１の底壁１１１に固定部材１６を介して固定される板状の固定部１７１と、一端部が固定部１７１に接続されたワイヤ部１７２と、ワイヤ部１７２の他端部に設けられた玉状の留め具部１７３と、を有する。連結部材１７は、ステンレスやアルミニウム等の金属から形成されている。留め具部１７３は、例えばスリットを有する玉状部材のスリット内にワイヤ部１７２の他端部を挟んでかしめることにより形成される。留め具部１７３の直径は、例えば３ｍｍに設定される。固定部１７１は、固定部材１６の延出片１６２の端部に螺子１６３により固定されている。また、連結部材１７は、図２に示すように、光源ユニット１２から透光部材２２を透過して外方へ放射される光の配光領域ＡＲ０の外側に位置している。これにより、連結部材１７に起因した影の発生が防止されている。
【００２３】
押圧部材２４は、円環板状であり、内側に透光部材２２の外鍔部２２２が嵌め込まれたパッキン２３を内鍔部２１２の内周縁部に向かって押圧してパッキン２３を押し潰すように、内鍔部２１２に固定されている。また、押圧部材２４は、連結部材１７の留め具部１７３が内鍔部２１２の溝２１２ａ内を移動可能な状態で、留め具部１７３が溝２１２ａから離脱するのを防止する機能も有する。押圧部材２４は、図２に示すように、隙間２１２ｂが溝２１２ａの全周に亘って形成されるように、溝２１２ａの一部を覆っている。留め具部１７３の直径φ２は、カバー２０の溝２１２ａの幅Ｗ０および溝の深さＤ０よりも小さい。これにより、カバー２０を筐体１１に対して回転させると、留め具部１７３はカバー２０の溝２１２ａ内を移動する。また、隙間２１２ｂの幅Ｗ１は、連結部材１７のワイヤ部１７２の断面の直径φ１よりも大きく、留め具部１７３の直径φ２よりも小さくなっている。これにより、連結部材１７をカバー２０から離脱させようとしたときに、留め具部１７３が溝２１２ａと押圧部材２４とで形成された隙間２１２ｂに引っ掛かる。この押圧部材２４と内鍔部２１２とから、連結部材１７の留め具部１７３に保持される位置が枠部２１１の周方向に沿って移動自在である被保持部が構成される。
【００２４】
次に、本実施の形態に係る照明装置１について、カバー２０を筐体１１から取り外す方法について図３および図４を参照しながら説明する。まず、図３（Ａ）に示すように、カバー２０を筐体１１に対して回転させる（矢印Ａ１参照）。このとき、図３（Ｂ）に示すように、連結部材１７の留め具部１７３は、カバー２０側から見て内鍔部２１２の溝２１２ａ内を移動し、カバー２０の回転に追従しない。そして、カバー２０の雄螺子部２１１ａが筐体１１の雌螺子部１１２ａから外れると、図４に示すように、カバー２０の連結部材１７側とは反対側を開くことが可能となる（矢印Ａ２参照）。このとき、カバー２０は、連結部材１７の留め具部１７３が溝２１２ａと押圧部材２４とで形成された隙間２１２ｂに引っ掛かった状態で、筐体１１に吊り下げられた状態となる。
【００２５】
次に、本実施の形態に係る照明装置１について、図５に示す比較例に係る照明装置９０１と対比しながら説明する。図５（Ａ）および（Ｂ）に示すように、比較例に係る照明装置９０１は、器具本体９１１と、光源ユニット８１２と、カバー９２０と、を備える。器具本体９１１の略中央部には、窪み部９１１ａが設けられており、窪み部９１１ａの底部には、光源ユニット８１２を支持する支持部材９１１３が固定されている。窪み部９１１ａの内周面には、螺子部９１１２ａが形成されている。カバー９２０は、円環状の枠部９２１１と、枠部９２１１と連続一体に形成された有底円筒状のカバー本体９２２と、枠部９２１１に嵌め込まれた円環状のパッキン９２３と、を有する。枠部９２２１の外周面には、器具本体９１１の螺子部９１１２ａに螺合する螺子部９２１１ａが形成されている。また、窪み部９１１ａの底部には、カバー９２０を掛止するための掛止部９１７が固定されている。支持部材９１１３の高さＨ２は、光源ユニット８１２から放射される光の配光領域ＡＲ１内に掛止部９１７が入らないように設定されている。これにより、掛止部９１７に起因した影の発生が防止されている。
【００２６】
図５（Ａ）に示すように、カバー９２０の螺子部９２１１ａを器具本体９１１の螺子部９１１２ａに螺合させることにより、カバー９２０を器具本体９１１に取り付けることができる。また、図５（Ｂ）に示すように、カバー９２０の枠部９２１１を掛止部９１７に掛止することができる。これにより、例えば光源ユニット８１２の修理や交換等のメンテナンスを、カバー９２０の枠部９２１１を掛止部９１７に掛止した状態で行うことができるので、メンテナンスの作業性を向上させることができる。
【００２７】
ところで、例えばメンテナンスの際、カバー９２０の枠部９２１１が図５（Ｂ）に示すように掛止部９１７に掛止されている状態で、作業者の手がカバー９２０に接触してしまうことがある。この場合、カバー９２０にカバー９２０を掛止部９１７から離脱させる方向に外力が加わり、カバー９２０が器具本体９１１から脱落してしまう虞がある。
【００２８】
これに対して、本実施の形態に係る照明装置１では、図２に示すように、溝２１２ａにおける押圧部材２４で覆われない部分の隙間２１２ｂの幅Ｗ１は、連結部材１７のワイヤ部１７２の断面の直径φ１よりも大きく、留め具部１７３の直径φ２よりも小さくなっている。これにより、図４に示すように、カバー２０が筐体１１に吊り下げられた状態で、連結部材１７の留め具部１７３が溝２１２ａから離脱しないようになっている。従って、例えばメンテナンスの際、カバー２０が筐体１１に吊り下げられている状態で、作業者の手がカバー２０に接触しても、カバー２０が筐体１１から脱落することがないので、作業者に安心感を与えることができるという利点がある。
【００２９】
また、比較例に係る照明装置９０１の場合、光源ユニット８１２を支持する支持部材９１１３の高さＨ２は、掛止部９１７が光源ユニット８１２の配光領域ＡＲ１内に入らないように設定する必要がある。このため、照明装置９０１の厚さは、掛止部９１７の寸法および形状により制限されてしまう。従って、照明装置９０１の薄型化には限界があった。
【００３０】
これに対して、本実施の形態に係る照明装置１では、図２に示すように、透光部材２２の外周部に位置する内鍔部２１２に溝２１２ａを設け、溝２１２ａ内に配置された留め具部１７３を有する連結部材１７により筐体１１とカバー２０とを連結する構造となっている。これにより、照明装置１の厚さは、連結部材１７の寸法および形状に制限されることがないので、照明装置１の薄型化を図り易いという利点がある。また、本実施の形態に係る連結部材１７は、比較例に係る掛止部９１７に比べて形状がシンプルである。これにより、比較例に係る掛止部９１７に比べて容易に製造することができるので、製造コストの低減が図れるという利点もある。更に、連結部材１７の寸法は、比較例に係る掛止部９１７の寸法に比べて小さいので、照明装置１の小型化を図ることができる。
【００３１】
以上説明したように、本実施の形態に係る照明装置１によれば、カバー２０が、連結部材１７の他端部に設けられた留め具部１７３に保持される位置が枠部２１１の周方向に沿って移動自在である被保持部を構成する内鍔部２１２および押圧部材２４を有する。これにより、カバー２０の枠部２１１を筐体１１に対して筐体１１の側壁１１２の筒軸周りに回転させることにより、雄螺子部２１１ａを雌螺子部１１２ａに螺合させてカバー２０を筐体１１に取り付ける際、連結部材１７の留め具部１７３が枠部２１１の周方向に沿って移動する。即ち、カバー２０の枠部２１１を筐体１１に対して回転させた場合に、連結部材１７の留め具部１７３はカバー２０の枠部２１１に追従しない。従って、カバー２０を筐体１１に対して数回回転させることを考慮することなく、連結部材１７の長さを決めることができるので、連結部材１７の長さを必要最小限にすることができ、連結部材１７が絡まることを抑制できる。また、押圧部材２４は、カバー２０が連結部材１７の他端部から離脱するのを防止する。これにより、カバー２０を連結部材１７により筐体１１に吊り下げた状態でカバー２０に外力が加わってもカバー２０が筐体１１から離脱しない。従って、例えば照明装置１のメンテナンスを行う作業者は、メンテナンス中のカバー２０への接触を気にせずに作業を行うことができる。このように、本実施の形態に係る照明装置１によれば、連結部材１７の絡まりが抑制され且つカバー２０の筐体１１からの離脱が防止されている分、メンテナンスにおける作業性を向上させることができる。
【００３２】
また、本実施の形態に係る照明装置１では、連結部材１７の固定部１７１が、固定部材１６を介して筐体１１の内側に固定され、留め具部１７３がカバー２０の内側で保持された構造を有する。これにより、筐体１１とカバー２０とで囲まれた領域を略密封することが可能となる。また、連結部材１７が、筐体１１とカバー２０とで囲まれた領域内に配置されるので、照明装置１の外観を損ねることがないという利点もある。
【００３３】
更に、本実施の形態に係る照明装置１では、連結部材１７の固定部１７１が筐体１１の周縁近傍に位置している。これにより、例えばメンテナンスを行う作業者が筐体１１の中央部近傍に配置された光源ユニット１２の部品の交換を行う際、連結部材１７が作業の邪魔にならないという利点がある。
【００３４】
また、本実施の形態の形態に係る照明装置１では、図６に示すように、連結部材１７の固定部１７１が、固定部材１６の固定片１６１と交差する延出片１６２に固定されている。これにより、筐体１１にカバー２０が吊り下げられた状態において、接続部分Ｐ１に加わる重力Ｆ１は、固定部１７１の厚さ方向への成分Ｆ１１と延出片１６２に沿った方向への成分Ｆ１２とを有することになる。この場合、固定部１７１の厚さ方向への成分Ｆ１１の大きさは、重力Ｆ１の大きさよりも小さくなる。これにより、筐体１１にカバー２０が吊り下げられた場合に接続部分Ｐ１が折れ曲がってしまうことを抑制できる。また、固定部１７１の厚さを薄くすることができるので、連結部材１７の軽量化が図られるという利点もある。また、連結部材１７と固定部材１６との固定部分を筐体１１の開口部に近づけることができるので、その分、連結部材１７を短くすることが可能となる。
【００３５】
（変形例）
以上、本発明の各実施の形態について説明したが、本発明は前述の各実施の形態の構成に限定されるものではない。例えば、連結部材が、細長の板状の可撓部材から形成されていてもよい。この場合、連結部材はステンレスやアルミニウム等の金属や樹脂材料から形成される。また、連結部材は、固定部と留め具部とがチェーンで連結されているものであってもよい。
【００３６】
実施の形態では、透光部材２２が、ドーム状の透光部材本体２２１と外鍔部２２２とを有する構成である例について説明したが、透光部材の形状はこれに限定されない。例えば図７に示すようカバー３０２０のように、透光部材３０２２が平板状であってもよい。なお、図７において実施の形態１と同様の構成については図４と同一の符号を付している。本構成によれば、照明装置３０１の更なる薄型化を図ることができる。
【００３７】
実施の形態では、押圧部材２４が、連結部材１７の留め具部１７３を枠部２１１の周方向に沿って移動可能に保持する被保持部として機能と、パッキン２３を内鍔部２１２に向けて押圧する機能とを兼ね備える例について説明した。但し、これに限らず、例えば図８（Ａ）に示すように、パッキン２３を内鍔部２１２に向けて押圧する押圧部材２０２４と、連結部材１７の留め具部１７３の溝２１２ａからの離脱を防止する円環状の離脱防止部材２２１２ｂと、の２つの部材を備える構成であってもよい。なお、図８において、実施の形態と同様の構成については図２と同一の符号を付している。
【００３８】
また、実施の形態に係る照明装置１について、押圧部材２４の代わりに、図８（Ｂ）に示すような、端部に折曲部４０２４ａが形成された押圧部材４０２４が用いられてもよい。この場合、押圧部材４０２４の端縁と、連結部材１７のワイヤ部１７２と、の接触が抑制される。従って、ワイヤ部１７２と押圧部材の端縁とが擦れることに起因したワイヤ部１７２の断線が抑制される。
【００３９】
実施の形態では、連結部材１７の固定部１７１が、固定部材１６の延出片１６２における固定片１６１側とは反対側の端部に螺子１６３により固定されている例について説明したが、連結部材１７の固定部材１６への固定方向はこれに限定されない。例えば、固定部１７１が、延出部１６２にかしめまたは溶接により固定されていてもよい。或いは、固定部１７１が、接着材により延出部１６２に接着されていてもよい。
【００４０】
実施の形態では、連結部材１７の留め具部１７３が玉状である例について説明したが、留め具部の形状は玉状に限定されるものではない。例えば、立方体状やその他の形状であってもよい。この場合、留め具部の寸法は、留め具部がカバー２０の内鍔部２１２に形成された溝２１２ａに嵌まった状態で溝２１２ａ内を移動可能な寸法に設定される。
【００４１】
実施の形態で説明したカバー２０の内鍔部２１２に形成される溝２１２ａの形状は、留め具部１７３が溝２１２ａ内に嵌まった状態で溝２１２ａ内を移動自在である限り、特に限定されない。
【００４２】
実施の形態では、カバー２０の内鍔部２１２に、軌道部としての溝２１２ａが形成されている例について説明したが、軌道部は溝２１２ａに限定されるものではない。内鍔部２１２に、溝２１２ａの代わりに、内部を留め具部１７３が移動するレールが設けられた構成であってもよい。
【００４３】
実施の形態では、光源ユニット１２の発光部１２１が、ＬＥＤを備える例について説明したが、これに限定されず、例えば発光部１２１が有機ＥＬ（Electro Luminescence）素子のような他の種類の発光素子を備えるものであってもよい。
【００４４】
実施の形態では、連結部材１７の固定部１７１が、固定部材１６を介して筐体１１の底壁１１１に固定されている例について説明したが、これに限らず、例えば連結部材１７の固定部１７１が筐体１１の底壁１１１に螺子止め固定されている構成であってもよい。
【００４５】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【産業上の利用可能性】
【００４６】
本発明は、天井や壁等に取り付けられる照明装置に好適である。
【符号の説明】
【００４７】
１，３０１：照明装置、１１：筐体、１２：光源ユニット、１３：点灯回路ユニット、１４：電池、１５：端子台、１６：固定部材、１７：連結部材、１８，２３：パッキン、１９：電池支持部材、２０，３０２０：カバー、２２，３０２２：透光部材、２４，２０２４、４０２４：押圧部材、１１１：底壁、１１１ａ：取付孔、１１２：側壁、１１２ａ：雌螺子部、１６３：螺子、１２１：発光部、１６１：固定片、１６２：延出片、１７１：固定部、１７２：ワイヤ部、１７３：留め具部、２１１：枠部、２１１ａ：雄螺子部、２１２：内鍔部、２１２ａ：溝、２１２ｂ：隙間、２２１：レンズ本体、２２２：外鍔部、２２１２ｂ：離脱防止部材、４０２４ａ：折曲部、ＡＲ０，ＡＲ１：配光領域、Ｃ１：造営材、Ｐ１：接続部分
【図１】
2018022625.tif 000003
【図２】
2018022625.tif 000004
【図３】
2018022625.tif 000005
【図４】
2018022625.tif 000006
【図５】
2018022625.tif 000007
【図６】
2018022625.tif 000008
【図７】
2018022625.tif 000009
【図８】
2018022625.tif 000010